(57)【要約】      （修正有）【課題】プリンタで使用されたインクリボンを細片化するインクリボン断裁装置及びインクリボン供給装置に関し、ロール状のインクリボンをセットする手間をかけることなく、インクリボンの供給終端部分まで確実に断裁させる。【解決手段】断裁部で細片化させる際に、供給されるインクリボンの終端部分を供給時の張力で検知するものであり、インクリボンロール６１における巻取リールのロール軸を、インクリボン供給装置１２に設けられる載置部を構成する第１リボンロール支持部４１Ａの軸支持溝及び第２リボンロール支持部４１Ｂの軸支持溝に支持させることでセットされ、インクリボンロール６１に対して押圧部材５１の押圧部５４で押圧し、検出部で検知される張力を供給の終端部分まで維持させる構成とする。【選択図】図６
2018008470.tif 000002
【特許請求の範囲】
【請求項１】
プリンタで使用されたロール状のインクリボンがインクリボン供給装置にセットされ、リボン受入部から導いて断裁部で細片化させ、供給されるインクリボンの終端部分を当該断裁部の引き出しによるインクリボン供給時の張力で検知する検出部を備えるインクリボン断裁装置であって、
前記インクリボン供給装置は、
前記ロール状のインクリボンを載置させる所定数の載置部と、
前記載置部上に載置されたロール状のインクリボンに対して押圧し、前記検出部で検知される張力を供給の終端部分まで維持させる押圧部材と、
を有することを特徴とするインクリボン断裁装置。
【請求項２】
プリンタで使用されたロール状のインクリボンを細片化させるインクリボン断裁装置に分離自在に設けられるインクリボン供給装置であって、
前記ロール状のインクリボンを載置させる所定数の載置部と、
前記載置部上に載置されたロール状のインクリボンに対して押圧する押圧部材と、
を有することを特徴とするインクリボン供給装置。
【発明の詳細な説明】
【技術分野】
【０００１】
本発明は、プリンタで使用されたインクリボンを細片化するインクリボン断裁装置及びインクリボン供給装置に関する。
【背景技術】
【０００２】
近年、インクリボンを使用するプリンタでは、使用済みのインクリボンには印字跡が残っており、個人情報や秘匿情報の漏洩を防ぐために断裁装置で細片化することが行われている。このような使用済みのロール状のインクリボンを断裁装置で細片化することに際してセットの手間をかけることなく、また、インクリボンの供給終端部分まで確実に断裁されることが望まれる。
【０００３】
従来、使用済みのインクリボンを断裁する装置として以下の特許文献１に記載されているものが知られている。特許文献１には、収納ケースに切断対象のインクリボンを収納させ、収納蓋の一端からインクリボンを引き出して送りローラを介して回転ガイド部材及び引裂刃で切断させるもので、切断処理の終了時にインクリボンの終端がボビンとともに引き上げられて収納蓋を押し上げ、これをマイクロスイッチで検出して駆動を停止させる構成のものとして記載されている。
【０００４】
また、巻き取りリールにロール状とされている使用済みのインクリボンを切断する装置として特許文献２に記載されているものが知られている。特許文献２には、インクリボンが巻かれている巻き取りリールの両端に延出する回転軸を支持機構に載置させ、当該支持機構で支持された回転軸を引き出し機構によるインクリボンの引き出しによって回転させる構成のものとして記載されている。
【先行技術文献】
【特許文献】
【０００５】
【特許文献１】特開２０１１−０５０９３８号公報
【特許文献２】特開２０１０−２７４４７８号公報
【発明の概要】
【発明が解決しようとする課題】
【０００６】
しかしながら、特許文献１ではインクリボンを収納蓋付きの収納ケース内に収納する手間を必要とするという問題がある。また、特許文献２では、セット時の手間がかからないという利点はあるものの、記載はないが引き出しによる張力でリボン終端部分を検知して引き出し機構の運転を停止させようとする場合、支持機構上での引き出し力による軸回転では、インクリボンの残量が少なくなると巻き取りリールの回転摩擦が小さくなることで回転軸が支持機構より浮いた状態となってリボンが緩み、リボン終端部分でない箇所で終端部分として誤検知することとなるという問題がある。
【０００７】
そこで、本発明は上記課題に鑑みなされたもので、ロール状のインクリボンをセットする手間をかけることなく、インクリボンの供給終端部分まで確実に断裁させるインクリボン断裁装置及びインクリボン供給装置を提供することを目的とする。
【課題を解決するための手段】
【０００８】
上記課題を解決するために、請求項１の発明では、プリンタで使用されたロール状のインクリボンがインクリボン供給装置にセットされ、リボン受入部から導いて断裁部で細片化させ、供給されるインクリボンの終端部分を当該断裁部の引き出しによるインクリボン供給時の張力で検知する検出部を備えるインクリボン断裁装置であって、前記インクリボン供給装置は、前記ロール状のインクリボンを載置させる所定数の載置部と、前記載置部上に載置されたロール状のインクリボンに対して押圧し、前記検出部で検知される張力を供給の終端部分まで維持させる押圧部材と、を有する構成とする。
【０００９】
請求項２の発明では、プリンタで使用されたロール状のインクリボンを細片化させるインクリボン断裁装置に分離自在に設けられるインクリボン供給装置であって、前記ロール状のインクリボンを載置させる所定数の載置部と、前記載置部上に載置されたロール状のインクリボンに対して押圧する押圧部材と、を有する構成とする。
【発明の効果】
【００１０】
請求項１の発明によれば、プリンタで使用されたロール状のインクリボンがインクリボン供給装置にセットされて断裁部で細片化させる際に、供給されるインクリボンの終端部分を供給時の張力で検知するものであり、インクリボン供給装置において、載置部上に載置されたロール状のインクリボンに対して押圧部材で押圧し、検出部で検知される張力を供給の終端部分まで維持させる構成とすることにより、インクリボンの残量が少なくなっても供給されるインクリボンの張力が維持されて緩むことなく、終端部分まで確実に断裁させることができるものである。
【００１１】
請求項２の発明によれば、プリンタで使用されたロール状のインクリボンを細片化させるインクリボン断裁装置に分離自在に設けられるもので、所定数の載置部上に載置されたロール状のインクリボンに対して押圧部材で押圧する構成とすることにより、インクリボンを残量が少なくなっても緩むことなく供給させることができ、インクリボンを断裁する断裁装置としていずれの断裁装置にも適応させることができるものである。
【図面の簡単な説明】
【００１２】
【図１】本発明に係るインクリボン断裁装置の全体構成図である。
【図２】図１のインクリボン断裁装置におけるインクリボン供給装置の説明図（１）である。
【図３】図１のインクリボン断裁装置におけるインクリボン供給装置の説明図（２）である。
【図４】図１のインクリボン断裁装置におけるインクリボン供給装置の説明図（３）である。
【図５】インクリボンロールの説明図である。
【図６】図１のインクリボン供給装置におけるインクリボンロールセット状態の説明図である。
【図７】インクリボンの取り回しセットの説明図（１）である。
【図８】インクリボンの取り回しセットの説明図（２）である。
【発明を実施するための形態】
【００１３】
以下、本発明の実施形態を図により説明する。
図１に、本発明に係るインクリボン断裁装置の全体構成図を示す。図１（Ａ）は全体斜視図、図１（Ｂ）は概略断面図である。図１（Ａ）において、インクリボン断裁装置１１は、プリンタで使用されたロール状のインクリボンをリボン受入部に導いて断裁部で細片化させるものであって、インクリボン供給装置１２及び断裁本体１３により構成され、インクリボン供給装置１２は断裁本体１３と分離自在に載置状態で位置される。当該インクリボン供給装置１２を断裁本体１３と分離自在とすることにより、いずれの機構の断裁装置に対しても適応させることができるものである。インクリボン供給装置１２については図２〜図６で説明する。
【００１４】
断裁本体１３には、インクリボンを断裁のために挿入させるリボン受入部１４が形成され、上面前部分に電源スイッチ１５Ａや操作スイッチ１５Ｂ等が設けられる。また、断裁本体１３の前面には前面扉１６が設けられる。そして、断裁本体１３上であって、リボン受入部１４のインクリボン供給装置側に当該リボン受入部１４の受け入れ幅に沿った板状の検知部１７が回動自在に設けられ、検知部１７の下方に当該検知部１７の検知状態を検出する例えばマイクロスイッチなどの検出部１８が設けられる。当該検知部１７及び検出部１８は後述の繰り出しによる張力を検知、検出するもので、有色及び無色（半透明若しくは透明）のインクリボンを問わずに対処することができものである。なお、有色のインクリボンを対象とする場合には、当該検知部１７及び検出部１８に代えて、光センサを用いてもよい。
【００１５】
上記検出部１８は、供給されるインクリボンの終端部分を後述のカッタローラ２１の引き出しによるインクリボン供給時の張力を、検知部１７を介して検知するもので、検知部１７がインクリボンの引き出される張力で下方に位置したときに検出部１８が後述の駆動部２３に断裁駆動継続信号を出力し、インクリボンが終端部分となって張力がなくなり検知部１７が上方位置となったときに駆動停止信号を出力するものである。
【００１６】
断裁本体１３の内部は、図１（Ｂ）に示すように、前面扉１６側が断裁領域１３Ａであり、リボン受入部１４は下方向側に幅狭で設けられ、直下に断裁部であるカッタローラ２１が当該リボン受入部１４の長さ方向と同じ軸方向で設けられる。カッタローラ２１は、従前より使用されているものと同様に、周上に断裁刃が形成されたローラが対で構成されるもので、各ローラは図のように下方に巻き込むようにそれぞれが回転する。
【００１７】
上記カッタローラ２１の下方には断裁したインクリボン断裁片を収納する出し入れ自在の断裁片収納袋保持具２２Ａに保持された断裁片収納袋２２が配置される。そして、断裁領域１３Ａの奥側にモータや制御盤等の駆動部２３が設けられるものである。
【００１８】
ここで、図２〜図４に、図１のインクリボン断裁装置におけるインクリボン供給装置の説明図を示す。図２（Ａ）、（Ｂ）において、インクリボン供給装置１２は、側面部３１Ａ，３１Ｂ間に第１搭載部３２及び第２搭載部３３が並設され、装置前部側の下方に挿入誘導シャフト３４が設けられる。このインクリボン供給装置１２は、断裁本体１３のリボン受入部１４及び検知部１７に挿入誘導シャフト３４が対応するように配置される。インクリボン供給装置１２は、挿入誘導シャフト３４に対して奥側に順次上記第１搭載部３２、第２搭載部３３となる。この実施形態では、２つの搭載部を設けた場合として説明するが、単一でもよく、また３以上の搭載部としてもよい。
【００１９】
第１搭載部３２は、上記側面部３１Ａ，３１Ｂ間に下方向側に幅狭で、下端が開放となる第１の対傾斜部３２Ａ，３２Ｂが後述するインクリボンのロール軸方向に沿って設けられる。この第１の対傾斜部３２Ａ，３２Ｂ上には後述の第１リボンロール支持部４１Ａ及び第２リボンロール支持部４１Ｂが着脱自在に取り付けられる。
【００２０】
第２搭載部３３の構成は、第１搭載部３２と同様であり、上記側面部３１Ａ，３１Ｂ間に下方向側に幅狭で、下端が開放となる第２の対傾斜部３３Ａ，３３Ｂが後述するインクリボンのロール軸方向に沿って設けられる。この第２の対傾斜部３３Ａ，３３Ｂ上には後述の第１リボンロール支持部４１Ａ及び第２リボンロール支持部４１Ｂが着脱自在に取り付けられる。なお、第１の対傾斜部３２Ａ、３２Ｂ及び第２の対傾斜部３３Ａ，３３Ｂは着磁可能な金属で形成される。
【００２１】
ここで、第２搭載部３３は第１搭載部３２より所定長下げた位置に配置される。これは、第２搭載部３３に後述の第１リボンロール支持部４１Ａ及び第２リボンロール支持部４１Ｂが着脱自在に取り付けられて後述のインクリボンロールが支持されてインクリボンを下方より引き出すときに第１搭載部３２が邪魔にならないようにして容易に行わせるためである。なお、第２搭載部３３にはリボンロール径の異なる、例えば大又は小のものも搭載できるもので、第１搭載部３２及び第２搭載部３３を装置の奥行き方向に設けることにより省スペース化を実現することができるものである。
【００２２】
そして、図２（Ｂ）に示すように、上記第１搭載部３２上に、図３で説明する第１リボンロール支持部４１Ａ及び第２リボンロール支持部４１Ｂが着脱自在に取り付けられ、第２搭載部３３上に同様の第１リボンロール支持部４１Ａ及び第２リボンロール支持部４１Ｂが着脱自在に取り付けられる。また、第１搭載部３２を形成する一方の第１の対傾斜部３２Ｂに、図４で説明する押圧部材５１が着脱自在に取り付けられ、第２搭載部３３の一方の第２の対傾斜部３３Ｂに同様の押圧部材５１が着脱自在に取り付けられる。
【００２３】
上記第１リボンロール支持部４１Ａは、図３（Ａ）、（Ｃ）に示すように、逆台形状の支持板４４Ａにおける平行長辺側の中央部分にＶ字状の軸支持溝４３Ａが形成され、対向する両傾斜辺に支持板４４Ａと直交する第１傾斜部４５Ａ及び第２傾斜部４６Ａが一体的に形成されたもので、各第１傾斜部４５Ａ及び第２傾斜部４６Ａの外側にマグネット４７が設けられ、内側に例えば表面にシリコン剤等が形成された滑面部材４８が設けられる。
【００２４】
上記第２リボンロール支持部４１Ｂは、図３（Ｂ）、（Ｃ）に示すように、基本的には第１リボンロール支持部４１Ａと同形状であり、逆台形状の支持板４４Ｂにおける平行長辺側の中央部分にＶ字状の軸支持溝４３Ｂが形成され、対向する両傾斜辺に支持板４４Ｂと直交する第１傾斜部４５Ｂ及び第２傾斜部４６Ｂが一体的に形成されたもので、各第１傾斜部４５Ｂ及び第２傾斜部４６Ｂの外側にマグネット４７が設けられ、内側に例えば表面にシリコン剤等が形成された滑面部材４８が設けられる。上記軸支持溝４３Ａ，４３ＢをＶ字状とすることで後述のロール軸６２の径の異なるものにも対処することができるものである。
【００２５】
上記第１リボンロール支持部４１Ａと第２リボンロール支持部４１Ｂとが、その内側を対向させるように配置されて後述のインクリボンロール６１を支持（詳細は図４（Ａ）、（Ｂ）で説明する）するもので、これらにより載置部を構成する。なお、第１リボンロール支持部４１Ａ及び第２リボンロール支持部４１Ｂの第１の対傾斜部３２Ａ，３２Ｂ及び第２の対傾斜部３３Ａ、３３Ｂへの取付けは図６で説明する。
【００２６】
一方、上記押圧部材５１は、図４（Ａ）に示すように、回動軸５２を介して取着部５３と押圧部５４とで構成され、取着部５３に所定数（ここでは４個とする）のマグネット５５が設けられ、押圧部５４上に上記同様の滑面部材５６が設けられる。なお、各マグネット５５は、図３に示すようなシートタイプのマグネットでもよい。上記押圧部５４は、後述のインクリボンロール６１に対して押圧するものとして相応の重量とされる。当該相応とは、インクリボンロール６１に対して押圧し、インクリボンが引き出されることによる張力を当該リボン供給の終端部分まで維持させて検知部１７を介して検出部１８で検知させるために設定することを意味する。
【００２７】
上記押圧部材５１は、図４（Ｂ）、（Ｃ）に示すように、第１搭載部３２を構成する一方の第１の対傾斜部３２Ｂの裏面に、上記滑面部材５６を第１搭載部３２側に向けた押圧部５４が第１搭載部３２側に回動自在として上記マグネット５５により取着部５３を磁着されると共に、第２搭載部３３を構成する一方の第２の対傾斜部３３Ｂの裏面に、上記滑面部材５６を第２搭載部３３側に向けた押圧部５４が第１搭載部３２側に回動自在として上記マグネット５５により取着部５３を磁着される。
【００２８】
続いて、図５に、インクリボンロールの説明図を示す。図５（Ａ）において、インクリボンロール６１は、巻取リール６１Ａに使用済みのインクリボン６０をロール状に巻回したものである。すなわち、巻取リール６１Ａは、ロール軸６２の両端側に、当該ロール軸６２の端部を延出させた状態でフランジ６３及びギアフランジ６４が設けられ、当該フランジ６３及びギアフランジ６４の間でインクリボン６０が巻回されたものである。
【００２９】
上記インクリボンロール６１は、図５（Ｂ）、（Ｃ）に示すように、対向する第１リボンロール支持部４１Ａと第２リボンロール支持部４１Ｂで構成される載置部に対し、第１リボンロール支持部４１Ａの軸支持溝４３Ａ及び第２リボンロール支持部４１Ｂの軸支持溝４３Ｂに、インクリボンロール６１における延出されたロール軸６２の両端部分を載置係合されることでセットされ、当該第１リボンロール支持部４１Ａ及び第２リボンロール支持部４１Ｂの下部開放部分よりインクリボン６０が引き出される。この場合、インクリボンロール６１は、インクリボン６０の部分が第１リボンロール支持部４１Ａ及び第２リボンロール支持部４１Ｂの各滑面部材４８に当接せずに、軸支持溝４３Ａ，４３Ｂとロール軸６２との接触で引き出し時の回転を滑らかとされるものである。なお、インクリボンロール６１における巻取リール６１Ａの両側に同じフランジ６３を設けたものやフランジ６３、ギアフランジ６４が無くロール軸６２に巻かれているものの場合には、ロール軸６２を第１リボンロール支持部４１Ａ及び第２リボンロール支持部４１Ｂにセットせずに、各滑面部材４８上に直接に載置させる形態としてもよい。各滑面部材４８上に直接載置させる事で、引き出し時の回転を滑らかにすると共に、消音効果も有するものである。
【００３０】
そこで、図６に、図１のインクリボン供給装置におけるインクリボンロールセット状態の説明図を示す。まず、図６（Ａ）に示すように、図２（Ａ）に示す第１搭載部３２及び第２搭載部３３のそれぞれに、第１リボンロール支持部４１Ａ及び第２リボンロール支持部４１Ｂを、インクリボンロール６１の両縁端のロール軸６２の長さに対応させて位置させ、マグネット４７により第１の対傾斜部３２Ａ，３２Ｂ及び第２の対傾斜部３３Ａ，３３Ｂに磁着させる。
【００３１】
なお、第１リボンロール支持部４１Ａ及び第２リボンロール支持部４１Ｂを磁着させるに際し、第１搭載部３２及び第２搭載部３３に搭載するインクリボンロール６１の軸長の異なるものを断裁する場合としてもよく、それぞれ異なる距離で配置させればよい。また、第１リボンロール支持部４１Ａ及び第２リボンロール支持部４１Ｂを着脱自在とすることでロール軸長の異なるインクリボンロール６１に対応させることができるが、インクリボンロール６１の対象を単一長のもの専用とする場合には、当該第１リボンロール支持部４１Ａ及び第２リボンロール支持部４１Ｂを着脱自在とせずに固定的に取り付けることとしてもよい。
【００３２】
続いて、図６（Ｂ）に示すように、第１搭載部３２における第１リボンロール支持部４１Ａの軸支持溝４３Ａ及び第２リボンロール支持部４１Ｂの軸支持溝４３Ｂのそれぞれに、インクリボンロール６１における延出されたロール軸６２の両端部分を載置係合させることでセットし、また、第２搭載部３３における第１リボンロール支持部４１Ａの軸支持溝４３Ａ及び第２リボンロール支持部４１Ｂの軸支持溝４３Ｂのそれぞれに、インクリボンロール６１における延出されたロール軸６２の両端部分を載置係合させることでセットする。
【００３３】
続いて、図６（Ｃ）に示すように、一の押圧部材５１を、第１搭載部３２を構成する一方の第１の対傾斜部３２Ｂの裏面に、上記滑面部材５６を第１搭載部３２側に向けて上記マグネット５５により取着部５３を磁着させると共に、別の押圧部材５１を、第２搭載部３３を構成する一方の第２の対傾斜部３３Ｂの裏面に、上記滑面部材５６を第２搭載部３３側に向けて上記マグネット５５により取着部５３を磁着させる。なお、図６（Ｂ）と図６（Ｃ）との順番は問わない。
【００３４】
そして、図６（Ｄ）に示すように、それぞれの押圧部材５１の押圧部５４を回動させて滑面部材５６をインクリボンロール６１に当接させることで、当該インクリボンロール６１に対して押圧部５４の自重により加圧させる。すなわち、インクリボンロール６１は、押圧部５４によって回転時の摩擦力が大となり、インクリボン６０の残量が少なくなっても浮き上がることを防止して、引き出されるインクリボン６０の張力が変化することを防止する。なお、インクリボン供給装置１２を上記のようなインクリボンロール６１のみを対象とすれば、押圧部材５１を着脱自在とすることなく固定配置とさせてもよい。
【００３５】
次に、図７及び図８に、インクリボンの取り回しセットの説明図を示す。上記図６（Ｄ）に示すように第１搭載部３２の第１リボンロール支持部４１Ａ及び第２リボンロール支持部４１Ｂにインクリボンロール６１をセットさせ、第２搭載部３３の第１リボンロール支持部４１Ａ及び第２リボンロール支持部４１Ｂにインクリボンロール６１をセットさせて、それぞれ押圧部材５１の押圧部５４で押圧させた状態で、図７（Ａ）に示すように、まず奥側の第２搭載部３３の第１リボンロール支持部４１Ａ及び第２リボンロール支持部４１Ｂにセットさせたインクリボンロール６１のインクリボン６０を下部の開放部分より引き出す。
【００３６】
続いて、手前側の第１搭載部３２の第１リボンロール支持部４１Ａ及び第２リボンロール支持部４１Ｂにセットさせたインクリボンロール６１のインクリボン６０を下部の開放部分より引き出してそれらを重ねて重ねインクリボン６０Ａとする。
【００３７】
図７（Ｂ）に示すように、挿入誘導シャフト３４の下方より引き出し、さらに検知部１７及びリボン受入部１４の反対側まで引き出す。この状態で、電源スイッチ１５Ａで装置運転を開始してカッタローラ２１を回転駆動させる。
【００３８】
そこで、図８（Ａ）に示すように、厚紙などの挿入ダミー６５を重ねインクリボン６０Ａ上から断裁本体１３のリボン受入部１４の挿入口に挿入する。これによって、重ねインクリボン６０Ａを挿入ダミー６５ごとカッタローラ２１に引き込ませることとなり、以降、図８（Ｂ）に示すように、連続して断裁が行われ、断裁されたインクリボン断裁片６０Ｂが断裁片収納袋２２に収納されるものである。
【００３９】
断裁時は、図８（Ａ）、（Ｂ）に示すように、カッタローラ２１の引き込み力で各インクリボンロール６１が回転して順次引き出され、その張力で検知部１７が下方に回動して検出部１８で検出されることとなり（駆動継続）、各インクリボン６０の終端部分まで上記押圧部材５１による押圧によって当該張力が維持されることとなる。
【００４０】
そして、各インクリボンロール６１から引き出されたインクリボン６０の総てが各巻取リール６１Ａより引き出されて断裁されると、当該インクリボン６０による張力がなくなり、検知部１７が上方に復帰することで検出部１８の検出信号が切り替わって稼働停止されるものである。
【００４１】
このように、インクリボンロール６１を第１リボンロール支持部４１Ａの軸支持溝４３Ａ及び第２リボンロール支持部４１Ｂの軸支持溝４３Ｂのそれぞれに、インクリボンロール６１における延出されたロール軸６２の両端部分を載置係合させるだけでセットされることから、手間をかけることなく、また、押圧部材５１による押圧によりインクリボン６０の残量が少なくなっても供給されるインクリボン６０の張力が維持されて緩むことなく、終端部分まで確実に断裁させることができるものである。
【産業上の利用可能性】
【００４２】
本発明のインクリボン断裁装置及びインクリボン供給装置は、ロール状のインクリボンを連続で細片化させる断裁装置の製造、販売、使用等の産業に利用可能である。
【符号の説明】
【００４３】
１１            インクリボン断裁装置
１２            インクリボン供給装置
１３            断裁本体
１４            リボン受入部
１５Ａ          電源スイッチ
１５Ｂ          操作スイッチ
１６            前面扉
１７            検知部
１８            検出部
２１            カッタローラ
２２            断裁片収納袋
２２Ａ          断裁片収納袋保持具
２３            駆動部
３２            第１搭載部
３３            第２搭載部
３１Ａ，３１Ｂ  側面部
３２Ａ，３２Ｂ  第１の対傾斜部
３３Ａ，３３Ｂ  第２の対傾斜部
３４            挿入誘導シャフト
４１Ａ          第１リボンロール支持部
４１Ｂ          第２リボンロール支持部
４３Ａ，４３Ｂ  軸支持溝
４４Ａ，４４Ｂ  支持板
４５Ａ，４５Ｂ  第１傾斜部
４６Ａ，４６Ｂ  第２傾斜部
４７，５５      マグネット
４８，５６      滑面部材
５１            押圧部材
５２            回動軸
５３            取着部
５４            押圧部
６０            インクリボン
６０Ａ          重ねインクリボン
６０Ｂ          インクリボン断裁片
６１            インクリボンロール
６１Ａ          巻取リール
６２            ロール軸
６３            フランジ
６４            ギアフランジ
６５            挿入ダミー
【図１】
2018008470.tif 000003
【図２】
2018008470.tif 000004
【図３】
2018008470.tif 000005
【図４】
2018008470.tif 000006
【図５】
2018008470.tif 000007
【図６】
2018008470.tif 000008
【図７】
2018008470.tif 000009
【図８】
2018008470.tif 000010